(57)【要約】【課題】各被検者に対して自在にかつ安全に運動負荷を掛けることができ、多数の被検者に対して高効率に運動負荷心電図検査を行うこと。【解決手段】自転車エルゴメータ１００は、着座状態の被検者Ｐのペダル漕ぎ運動によって、多段階の運動負荷を被検者Ｐに掛ける。コンピュータ１７０は、被検者Ｐの個人情報を取得する。検査プロトコル選択部１３０は、複数の検査プロトコルのいずれかを、コンピュータ１７０で取得される個人情報に基づいて選択する。運動負荷制御部１４０は、被検者Ｐに掛けられる多段階の運動負荷を、検査プロトコル選択部１３０で選択される検査プロトコルを利用して制御する。心電図計測部１５０は、制御される多段階の運動負荷を掛けられる被検者Ｐの心電図データを計測する。【選択図】図１
2008067864.tif 000002
【特許請求の範囲】
【請求項１】
着座状態の被検者のペダル漕ぎ運動によって、多段階の運動負荷を被検者に掛ける自転車エルゴメータと、
被検者の個人情報を取得する取得部と、
複数の検査プロトコルのいずれかを、取得される個人情報に基づいて選択する選択部と、
被検者に掛けられる多段階の運動負荷を、選択される検査プロトコルを利用して制御する制御部と、
制御される多段階の運動負荷を掛けられる被検者の心電図データを計測する計測部と、
を具備することを特徴とする運動負荷心電図システム。
【請求項２】
前記取得部は、
被検者の性別を前記個人情報として取得する、
ことを特徴とする請求項１記載の運動負荷心電図システム。
【請求項３】
前記取得部は、
被検者の年齢を前記個人情報として取得する、
ことを特徴とする請求項１または請求項２記載の運動負荷心電図システム。
【請求項４】
前記取得部は、
被検者の体格を前記個人情報として取得する、
ことを特徴とする請求項１乃至請求項３のいずれかに記載の運動負荷心電図システム。
【請求項５】
前記体格は、ＢＭＩ（Body Mass Index）を含む、
ことを特徴とする請求項４記載の運動負荷心電図システム。
【請求項６】
前記取得部は、
被検者の体重を前記個人情報として取得する、
ことを特徴とする請求項１乃至請求項５のいずれかに記載の運動負荷心電図システム。
【請求項７】
制御される多段階の運動負荷をモニタリングするモニタリング部をさらに具備する、
ことを特徴とする請求項１記載の運動負荷心電図システム。
【発明の詳細な説明】
【技術分野】
【０００１】
本発明は、被検者に運動負荷を掛けて心電図を取得する運動負荷心電図システムに関する。
【背景技術】
【０００２】
人口の高齢化、生活習慣病の増加などで心血管疾患が増加する現在、検診や人間ドックで運動負荷心電図検査を実施するニーズがますます高まってきている。運動負荷心電図検査では、被検者が運動することにより被検者の心臓に負荷を掛け、その結果として得られる心電図データを計測する（例えば、特許文献１参照）。
【０００３】
運動負荷は、例えば、被検者に一定時間内に規定速度でマスタステップを昇降させることによって掛けられる（マスタ法）。マスタ法で掛けられる運動負荷量は、標準化された計算方式により規定されており、その負荷の程度によってハーフマスタ、シングルマスタ、ダブルマスタまたはトリプルマスタに分類される。
【特許文献１】特開平６−１８１８９９号公報
【発明の開示】
【発明が解決しようとする課題】
【０００４】
しかしながら、上記マスタ法による運動負荷法には、以下のような問題がある。
【０００５】
第１に、マスタ法では、運動負荷中および運動負荷直後における被検者の心拍数が目標心拍数（ＴＨＲ：Target Heart Rate）を基準とする特定の範囲に到達したか否かをモニタリングすることができないという問題がある。このため、運動負荷中または運動負荷直後における被検者の心拍数がその特定の範囲を超えてしまい、またはその特定の範囲に到達しない場合がある。そこで、被検者に掛けられる運動負荷量をより自在に制御する必要性がある。
【０００６】
第２に、マスタ法では、マスタステップの昇降自体が危険であるという問題がある。例えば、被検者がマスタステップを踏み外して怪我をする危険性がある。
【０００７】
第３に、マスタ法では、一般に運動負荷を掛けた後に各被検者に対して電極を取付けるが、運動負荷を掛け終わってから心電図データを計測し始めるまでの時間をかけることができないという問題がある。よって、１人の検査担当者が同時に対応できる被検者の人数に限界があり、ひいては検診や人間ドックにおいて多数の被検者に対して効率的に検査を行うことができない。
【０００８】
本発明は、かかる点に鑑みてなされたものであり、各被検者に対して自在にかつ安全に運動負荷を掛けることができ、多数の被検者に対して高効率に運動負荷心電図検査を行うことができる運動負荷心電図システムを提供することを目的とする。
【課題を解決するための手段】
【０００９】
本発明の運動負荷心電図システムは、着座状態の被検者のペダル漕ぎ運動によって、多段階の運動負荷を被検者に掛ける自転車エルゴメータと、被検者の個人情報を取得する取得部と、複数の検査プロトコルのいずれかを、取得される個人情報に基づいて選択する選択部と、被検者に掛けられる多段階の運動負荷を、選択される検査プロトコルを利用して制御する制御部と、制御される多段階の運動負荷を掛けられる被検者の心電図データを計測する計測部と、を具備する構成を採る。
【発明の効果】
【００１０】
本発明によれば、各被検者に対して自在にかつ安全に運動負荷を掛けることができ、多数の被検者に対して高効率に運動負荷心電図検査を行うことができる。
【発明を実施するための最良の形態】
【００１１】
以下、本発明の実施の形態について、図面を参照して詳細に説明する。
【００１２】
図１は、本発明の一実施の形態に係る運動負荷心電図システム１００の構成を示す図である。
【００１３】
図１において、運動負荷心電図システム１００は、自転車エルゴメータ１１０と、検査プロトコルデータベース（以下「検査プロトコルＤＢ」と略記する）１２０と、検査プロトコル選択部１３０と、運動負荷制御部１４０と、心電図計測部１５０と、運動負荷モニタリング部１６０と、コンピュータ１７０と、を備える。
【００１４】
自転車エルゴメータ１１０は、被検者Ｐが着座する椅子部１１１と、被検者Ｐが足を載置するペダル１１２と、ペダル１１２を回転可能に支持するとともに、被検者Ｐがペダル漕ぎ運動をするときに被検者Ｐに掛けられる運動負荷を生成する運動負荷生成部１１３とを備える。この自転車エルゴメータ１１０は、着座状態の被検者Ｐのペダル漕ぎ運動によって、被検者Ｐに多段階の運動負荷を掛けることができる。運動負荷生成部１１３が生成する運動負荷の負荷量および負荷時間、つまり被検者Ｐに掛けられる運動負荷の負荷量および負荷時間は、運動負荷制御部１４０により制御される。
【００１５】
ここで、「多段階の運動負荷」とは、複数の段階から構成された一連の運動負荷を意味する。また、１つの段階は一定の時間長を有する。つまり、その段階においては、一定の負荷時間にわたり運動負荷が被検者Ｐに掛けられる。一連の運動負荷が、ある段階からその次の段階に移行すると、その負荷量が変更される。なお、一連の運動負荷において連続する２つの段階の負荷時間は、同一でも相違していてもよい。
【００１６】
また、「着座状態」とは、本実施の形態のような背もたれのある椅子または背もたれのない椅子に座った状態を含むほか、椅子または台に仰向けに横たわった状態やサドルにまたがった状態をも含む広義の概念として使用する。すなわち、自転車エルゴメータの椅子の形態は、図示したものだけに限定されない。
【００１７】
検査プロトコルＤＢ１２０は、被検者Ｐに掛けられる多段階の運動負荷の制御に利用される複数の検査プロトコルを保持する。これら複数の検査プロトコルは、例えば、コンピュータ１７０にインストールされ、または外部機器もしくは記録媒体（図示せず）から入力されうる。検査プロトコルＤＢ１２０が保持する検査プロトコルについては、後で詳細に説明する。
【００１８】
選択部としての検査プロトコル選択部１３０は、検査プロトコルＤＢ１２０が保持する複数の検査プロトコルのいずれかを、被検者Ｐの個人情報に基づいて選択する。検査プロトコル選択部１３０は、選択された検査プロトコルを運動負荷制御部１４０に出力する。被検者Ｐの個人情報は、コンピュータ１７０で取得され、検査プロトコル選択部１３０に入力される。
【００１９】
制御部としての運動負荷制御部１４０は、被検者Ｐに掛けられる多段階の運動負荷、より具体的には、各段階の運動負荷の負荷量および負荷時間を、検査プロトコル選択部１３０から入力された検査プロトコルを利用して制御する。例えば、一連の運動負荷における各段階の開始時に、運動負荷制御部１４０は、負荷量を指示する信号を運動負荷生成部１１３に出力し、この指示信号により指示された運動負荷を運動負荷生成部１１３に生成させる。
【００２０】
計測部としての心電図計測部１５０は、被検者Ｐの身体に取付けられ、被検者Ｐの心臓の活動により発生する微小な起電力である心電図信号を検出する電極１５１を含む。心電図計測部１５０は、電極１５１で検出された心電図信号に対して増幅やアナログディジタル変換などの処理を施すことにより、被検者Ｐの心電図波形、つまり心電図データを計測する。心電図計測部１５０は、計測された被検者Ｐの心電図データをコンピュータ１７０に出力する。心電図計測部１５０で計測された心電図データを解析することにより、被検者Ｐの安静時には現れない心電図異常、例えばＲ−Ｒ間隔やＳＴ−Ｔ変化、デルタ波、ＲｏｎＴの異常、および心室内伝導障害などを発見することができる。
【００２１】
運動負荷モニタリング部１６０は、運動負荷制御部１４０により制御された多段階の運動負荷をモニタリングする。運動負荷モニタリング部１６０は、モニタリングされた多段階の運動負荷をコンピュータ１７０に出力する。
【００２２】
取得部としてのコンピュータ１７０は、表示部１７１と、入力部１７２とを備える。
【００２３】
表示部１７１は、被検者Ｐの個人情報の入力などの各種の設定事項、および運動負荷心電図検査の検査結果などを表示する。運動負荷心電図検査の検査結果には、心電図計測部１５０から入力された被検者Ｐの心電図データ、および運動負荷モニタリング部１６０から入力された多段階の運動負荷が含まれる。表示部１７１は、これら２つの検査結果を同時にかつリアルタイムで表示することができる。なお、これら２つの検査結果のいずれか、あるいは双方を記録紙に印刷する印刷手段（図示せず）をコンピュータ１７０に設けることもできる。すなわち、コンピュータ１７０は、表示部１７１および印刷手段の少なくとも一方により、これら２つの検査結果を出力する。
【００２４】
入力部１７２は、例えばキーボードである。運動負荷心電図システム１００の操作者、例えば検診や人間ドックの検査担当者は、入力部１７２を操作することにより、被検者Ｐの個人情報をコンピュータ１７０に入力することができる。また、この操作者は、入力部１７２を操作することにより、表示部１７１に表示される情報を切替えることができる。
【００２５】
なお、本実施の形態では、検査プロトコルＤＢ１２０、検査プロトコル選択部１３０、運動負荷制御部１４０、心電図計測部１５０および運動負荷モニタリング部１６０を、コンピュータ１７０および自転車エルゴメータ１１０の外部の構成要素として説明したが、これらの要素の一部または全部をコンピュータ１７０または自転車エルゴメータ１１０に設けることもできる。
【００２６】
次に、検査プロトコルＤＢ１２０が保持する検査プロトコルについて詳細に説明する。表１〜表６は、検査プロトコルＤＢ１２０に保持される６つの検査プロトコル＃１〜＃６を例示している。
【００２７】
【表１】
2008067864.tif 000003
【表２】
2008067864.tif 000004
【表３】
2008067864.tif 000005
【表４】
2008067864.tif 000006
【表５】
2008067864.tif 000007
【表６】
2008067864.tif 000008
【００２８】
検査プロトコル＃１〜＃６は、被検者Ｐとなり得る人間の性別と年齢とによって分類されている。また、検査プロトコル＃１〜＃６はそれぞれ、その検査プロトコルを構成する複数のステージ（段階）と、それらのステージの順番と、各ステージの運動負荷量（単位：ワット（Ｗ））と、各ステージの負荷時間（単位：分）とを定義している。説明の簡略化のために、表１に示された検査プロトコル＃１を例にとって具体的に説明すると、検査プロトコル＃１は、ステージ＃ＷＵ、ステージ＃１、ステージ＃２、ステージ＃３、ステージ＃４、ステージ＃５、およびステージ＃ＣＤから構成される。ステージ＃ＷＵは、運動負荷を掛け始める前の、被検者Ｐのウォームアップのためのステージであり、ステージ＃ＷＵでの運動負荷量および負荷時間はそれぞれ０Ｗ、０分である。ステージ＃１は、運動負荷が掛けられる最初のステージであり、ステージ＃１での運動負荷量および負荷時間はそれぞれ４０Ｗ、０.５分である。ステージ＃２は、ステージ＃１の次のステージであり、ステージ＃２での運動負荷量および負荷時間はそれぞれ６０Ｗ、０.５分である。ステージ＃３は、ステージ＃２の次のステージであり、ステージ＃３での運動負荷量および負荷時間はそれぞれ８０Ｗ、０.５分である。ステージ＃４は、ステージ＃３の次のステージであり、ステージ＃４での運動負荷量および負荷時間はそれぞれ１００Ｗ、１分である。ステージ＃５は、ステージ＃４の次のステージであり、ステージ＃５での運動負荷量および負荷時間はそれぞれ１２０Ｗ、３分である。ステージ＃ＣＤは、運動負荷を掛け終わった後の、被検者Ｐのクールダウンのためのステージであり、ステージ＃ＣＤでの運動負荷量および負荷時間はそれぞれ０Ｗ、０分である。
【００２９】
したがって、この検査プロトコル＃１が被検者Ｐに対して適用される場合、つまり、被検者Ｐがペダル１１２を漕ぎ、且つ検査プロトコル＃１に従って運動負荷制御部１４０および運動負荷生成部１１３が動作する場合、最初の０.５分にわたって被検者Ｐに４０Ｗの運動負荷が掛けられ（ステージ＃１）、次の０.５分にわたって被検者Ｐに６０Ｗの運動負荷が掛けられ（ステージ＃２）、次の０.５分にわたって被検者Ｐに８０Ｗの運動負荷が掛けられ（ステージ＃３）、次の１分にわたって被検者Ｐに１００Ｗの運動負荷が掛けられ（ステージ＃４）、最後の３分にわたって被検者Ｐに１２０Ｗの運動負荷が掛けられる（ステージ＃５）。
【００３０】
なお、検査プロトコル＃６については、他のプロトコル＃１〜＃５に比べて、ステージ数が削減されており、各ステージでの負荷量も軽減されている。つまり、検査プロトコル＃６は、一般的な健常者に比べて運動に困難性が認められる者、例えば、６５才以上の男性および女性（老人）を対象にしたものである。また、検査プロトコル＃６を、高血圧などの持病のある者に対して適用することもできる。
【００３１】
検査プロトコル＃１〜＃６において、運動負荷の段階間の負荷量の差は１０Ｗ〜２０Ｗであり、最大の負荷量は５０Ｗ〜１２０Ｗとなっている。女性には男性に比べて小さい運動負荷を課すように、また、男性も女性も高齢になるほど小さい運動負荷を課すように配慮されている。
【００３２】
上記検査プロトコル＃１〜＃６は、本発明者の鋭意研究の成果として得られた新しい知見によって作成しえたものである。本発明者は検査プロトコル＃１〜＃６の作成にあたり、以下の式（１）を用いた。より具体的には、ダブルマスタ法における負荷量をＭＥＴＳ（Metabolic Equivalents）で置き換え、この置き換えられたＭＥＴＳから式（１）を用いて負荷量（Ｗ）を算出した。
ＭＥＴＳ＝（負荷量×１２.２４＋３００）／（３.５×体重）      …  （１）
ここで、負荷量の単位はワット（Ｗ）であり、体重の単位はキログラム（ｋｇ）である。
【００３３】
また、本実施の形態では、体重を５５ｋｇとして検査プロトコルを作成した。すなわち、本実施の形態の検査プロトコルは、性別および年齢の他に、体重をも個人情報として考慮して作成されたものである。よって、検査プロトコルＤＢ１２０は、検査プロトコル＃１〜＃６以外の検査プロトコルを保持することができる。そして、これらのプロトコルを、被検者となり得る人間の体重によって分類することもできる。
【００３４】
また、本発明者は、上記の効果を実証するために、目標心拍数ＴＨＲに対する達成率９０％を目安として検査プロトコル＃１〜＃６の妥当性を検討した。より具体的には、予測最大心拍数（２２０−年齢）の８０％を目標心拍数ＴＨＲとした。また、最大負荷時の最大心拍数（ｍａｘ−ＨＲ）の目標心拍数ＴＨＲに対する比（ｍａｘ−ＨＲ／ＴＨＲ）を負荷達成率とし、各検査プロトコルにおける負荷達成率を調べた。対象は、男性１２８０名、女性６３６名の計１９１６名であり、検査プロトコルごとの内訳は、検査プロトコル＃１に対しては男性１６６名、検査プロトコル＃２に対しては男性３８３名、女性１０名、検査プロトコル＃３に対しては男性５０６名、女性１１２名、検査プロトコル＃４に対しては男性２２５名、女性４３４名、検査プロトコル＃５に対しては女性８０名である。そして、これらの負荷達成率を、性別、体格別に比較検討した。体格については、ＢＭＩ（Body Mass Index）（１８.５未満を痩せ型、１８.５〜２４.９を標準型、２５.０以上を肥満型とみなす）を指標とした。検定には、ノンパラメトリック法を用いた。
【００３５】
その結果、負荷達成率は、女性で有意（ｐ＜０.０１）に高値（男性：８８.８％、女性：９１.５％）であった。体格別では、負荷達成率は、肥満者ほど低下した（痩せ型：９４.４％、標準型：９０.４％、肥満型：８６.１％；ｐ＜０.０１）。また、女性のみの解析でも肥満型の達成率は、痩せ型および標準型よりも低値（ｐ＜０.０１）であった。さらに、検査プロトコルごとの解析でも同様の結果が得られた。
【００３６】
このように、被検者が肥満者（例えば、ＢＭＩが２５.０以上）である場合には、負荷達成率が低くなる傾向がある。これは、肥満者がその体重を利用してペダルを漕ぐ負荷を軽減する可能性があるからである。したがって、肥満型の被検者を対象とするプロトコルを作成する際には、負荷量の設定にＢＭＩを考慮することがより望ましい。
【００３７】
以上、本実施の形態に係る検査プロトコルについて説明した。
【００３８】
なお、検査プロトコル保持部１２０が保持する検査プロトコルは、検査プロトコル＃１〜＃６だけに限定されない。検査プロトコル１２０は、以下の表７〜表１２に例示する６つの検査プロトコル＃７〜＃１２を保持してもよい。これらの検査プロトコル＃７〜＃１２も、検査プロトコル＃１〜＃６と同様に、本発明者の新たな知見に基づき、上記の式（１）を用いて作成されたものである。
【００３９】
【表７】
2008067864.tif 000009
【表８】
2008067864.tif 000010
【表９】
2008067864.tif 000011
【表１０】
2008067864.tif 000012
【表１１】
2008067864.tif 000013
【表１２】
2008067864.tif 000014
【００４０】
以下、上述のように構成された運動負荷心電図システム１００の動作について、図２を用いて説明する。
【００４１】
図２は、本実施の形態に係る運動負荷心電図検査の処理の一例を示すフローチャートである。ここでは、２台の自転車エルゴメータ１１０（以下、それぞれ「自転車エルゴメータＡ」「自転車エルゴメータＢ」という）を用いて、４５才の男性（以下「被検者Ｐ１」という）と３２才の女性（以下「被検者Ｐ２」という）に対して並行に運動負荷心電図検査を行う場合について説明する。また、検査プロトコルＤＢ１２０が表１〜表６の検査プロトコル＃１〜＃６を保持しているものと仮定する。なお、ここで説明する運動負荷心電図検査の手順は一例であり、この手順に含まれる工程およびその順番などは、種々変更可能である。
【００４２】
まず、ステップＳ１では、検査担当者が心電図計測部１５０の電極１５１を被検者Ｐ１、Ｐ２に取付ける。
【００４３】
ステップＳ２では、コンピュータ１７０が、被検者Ｐ１、Ｐ２の個人情報を取得する。被検者Ｐ１、Ｐ２の個人情報は、例えば、検査担当者が入力部１７２を操作することによってコンピュータ１７０に入力される。具体的には、被検者Ｐ１に関しては、性別および年齢という項目に関して「男性」および「４５」という個人情報が入力され、被検者Ｐ２に関しては、性別および年齢という項目に関して「女性」および「３２」という個人情報が入力される。コンピュータ１７０は、取得された被検者Ｐ１、Ｐ２の個人情報を、検査プロトコル選択部１３０に出力する。
【００４４】
ステップＳ３では、検査プロトコル選択部１３０が、コンピュータ１７０から入力された被検者Ｐ１、Ｐ２の個人情報に基づいて、検査プロトコルＤＢ１２０が保持する複数の検査プロトコル＃１〜＃６のいずれかを選択する。被検者Ｐ１に関しては「４５才の男性」という個人情報が入力されるので、検査プロトコル選択部１３０は、この個人情報に適合する検査プロトコル＃２を選択する。被検者Ｐ２に関しては「３２才の女性」という個人情報が入力されるので、検査プロトコル選択部１３０は、この個人情報に適合する検査プロトコル＃３を選択する。検査プロトコル選択部１３０は、選択された検査プロトコル＃２、＃３を、運動負荷制御部１４０に出力する。
【００４５】
ステップＳ４では、心電図計測部１５０が、被検者Ｐ１、Ｐ２の心電図データの計測を開始する。心電図計測部１５０は、計測される被検者Ｐ１、Ｐ２の心電図データを、コンピュータ１７０に出力する。
【００４６】
ステップＳ５では、検査データの出力が開始される。すなわち、コンピュータ１７０の表示部１７１が、心電図計測部１５０から入力される被検者Ｐ１、Ｐ２の心電図データをリアルタイムで表示し始める。
【００４７】
ステップＳ６では、被検者Ｐ１が自転車エルゴメータＡによるペダル漕ぎ運動を開始し、被検者Ｐ２が自転車エルゴメータＢによるペダル漕ぎ運動を開始する。
【００４８】
ステップＳ７では、検査担当者が所定の操作を行うことにより検査プロトコルを開始する。すなわち、検査担当者の操作を契機に、運動負荷制御部１４０が、検査プロトコル＃２、＃３を利用して、被検者Ｐ１、Ｐ２に掛けられる多段階の運動負荷を制御し始める。このとき、運動負荷制御部１４０は、多段階の運動負荷を構成する一連の運動負荷の最初の段階に対応する負荷量を指示する信号を自転車エルゴメータＡ、Ｂの運動負荷生成部１１３に出力し、この指示信号により指示された運動負荷を運動負荷生成部１１３に生成させる。以後、運動負荷制御部１４０は、一連の運動負荷における各段階の開始時に、各段階に対応する負荷量を指示する信号を自転車エルゴメータＡ、Ｂの負荷生成部１１３に出力し、この指示信号により指示された運動負荷を運動負荷生成部１１３に生成させる。
【００４９】
このように、複数の被検者のそれぞれに掛けられる運動負荷を個別に且つ自在に制御することができる。例えば、異なる被検者に対し、異なるステージ数（例えば、検査プロトコル＃２では５つのステージ＃１〜＃５、検査プロトコル＃３では４つのステージ＃１〜＃４）にわたって運動負荷を掛けることができる。なお、特定のステージ（例えば、検査プロトコル＃１のステージ＃３および検査プロトコル＃２のステージ＃３）において、異なる負荷時間、異なる負荷量を適用することができ、特定のステージ間（例えば、検査プロトコル＃１のステージ＃３とステージ＃４との間および検査プロトコル＃２のステージ＃３とステージ＃４との間）にて、異なる負荷量差を適用することもできる。
【００５０】
ステップＳ８では、被検者Ｐ１、Ｐ２に対する検査プロトコル＃２、＃３がそれぞれ終了する。すなわち、運動負荷制御部１４０は、被検者Ｐ１、Ｐ２に掛けられる多段階の運動負荷の負荷量をゼロにする旨の指示信号を自転車エルゴメータＡ、Ｂの運動負荷生成部１１３に出力し、被検者Ｐ１、Ｐ２に掛けられる運動負荷をゼロにさせる。
【００５１】
ステップＳ７〜ステップＳ８において多段階の運動負荷を掛けている間、運動負荷モニタリング部１６０は、被検者Ｐ１、Ｐ２に掛けられる多段階の運動負荷をモニタリングする。運動負荷モニタリング部１６０は、モニタリングされた多段階の運動負荷をコンピュータ１７０に出力し、コンピュータ１７０の表示部１７１は、入力された多段階の運動負荷をリアルタイムで表示する。すなわち、表示部１７１は、被検者Ｐ１、Ｐ２に掛けられる多段階の運動負荷と、計測される被検者Ｐ１、Ｐ２の心電図データとを同時にかつリアルタイムで表示する。
【００５２】
ステップＳ９では、心電図計測部１５０が、被検者Ｐ１、Ｐ２の心電図データの計測を終了する。
【００５３】
ステップＳ４〜ステップＳ９を参照すると、心電図計測部１５０は、被検者Ｐ１、Ｐ２に何らの運動負荷も掛けられていない状態（安静フェーズ：Ｓ４〜Ｓ６）と、運動負荷を掛ける前の準備状態（ウォームアップフェーズ：Ｓ６〜Ｓ７）と、検査プロトコル＃２、＃３を利用して制御された多段階の運動負荷が掛けられた状態（負荷フェーズ：Ｓ７〜Ｓ８）と、運動負荷を掛けた後の状態（負荷後フェーズ：Ｓ８〜Ｓ９）との複数の状態にわたって、被検者Ｐ１、Ｐ２の心電図データを計測する。
【００５４】
以上、図１の運動負荷心電図システム１００を用いた運動負荷心電図検査の処理の一例について説明した。
【００５５】
なお、ここでは、２人の被検者に対して並行に検査を行った場合を例にとって説明したが、最初に、１人以上の者に対して並行に検査を行い、その次に、別の１人以上の者に対して並行に検査を行うこともできる。
【００５６】
このように、本実施の形態によれば、検査プロトコル選択部１３０が、取得された被検者Ｐの個人情報に基づいて、検査プロトコルＤＢ１２０が保持する複数の検査プロトコルの中から、被検者Ｐに対して最適な検査プロトコルを選択し、運動負荷制御部１４０が、選択された検査プロトコルを利用して、被検者Ｐに掛けられる多段階の運動負荷を制御する。これにより、運動負荷中または運動負荷直後の被検者Ｐの心拍数が、被検者Ｐごとに異なりうるそれぞれの目標心拍数ＴＨＲを基準とする特定の範囲を超過したりこの範囲に到達しなかったりしないように、被検者Ｐに掛けられる運動負荷を自在に制御することができる。例えば、あらゆる個人情報を有する被検者Ｐに掛けられる運動負荷を、５分〜７分の負荷時間で自在に制御することができる。
【００５７】
また、本実施の形態によれば、椅子部１１１に着座した状態でのペダル漕ぎ運動により被検者Ｐに運動負荷を掛けるので、被検者Ｐの身体に余分な運動負荷が掛かることがなく安全である。
【００５８】
また、本実施の形態によれば、一旦被検者Ｐの身体に電極を取付ければ、上記した安静フェーズ、ウォームアップフェーズ、負荷フェーズ、負荷後フェーズの複数の状態にわたって、自動的かつ速やかに心電図データを計測するので、検査処理が一連の流れの中で完了する。よって、１人の検査担当者が同時に対応できる被検者の人数を大幅に増やすことができ、検診や人間ドックにおいて多数の被検者に対して高効率に検査を行うことができる。
【図面の簡単な説明】
【００５９】
【図１】本発明の一実施の形態に係る運動負荷心電図システムの構成を示す図
【図２】本発明の一実施の形態に係る運動負荷心電図検査の処理の一例を示すフローチャート
【符号の説明】
【００６０】
１００  運動負荷心電図システム
１１０  自転車エルゴメータ
１１１  椅子部
１１２  ペダル
１１３  運動負荷生成部
１２０  検査プロトコルデータベース
１３０  検査プロトコル選択部
１４０  運動負荷制御部
１５０  心電図計測部
１５１  電極
１６０  運動負荷モニタリング部
１７０  コンピュータ
１７１  表示部
１７２  入力部
【図１】
2008067864.tif 000015
【図２】
2008067864.tif 000016